【事件の表示】
　特許第２９２６７９３号「画像処理装置」の請求項１に係る特許に対する特許異議の申立てについて、次のとおり決定する。
【結　論】
　訂正を認める。
　特許第２９２６７９３号の請求項１に係る特許を取り消す。
【理　由】
［１］手続の経緯
　特許第２９２６７９３号の請求項１に係る発明は、平成１年１１月６日に特許出願され、平成１１年５月１４日にその特許の設定登録がなされ、その後、溝呂木寛（以下、「申立人」という。）より特許異議の申立てがなされ、平成１２年４月１１日付けで取消理由通知がなされ、さらに、平成１２年７月２７日付けで取消理由通知がなされ、平成１２年１０月１０日付けで訂正請求がなされたものである。
　
［２］訂正の適否についての判断
　訂正事項ａないしｄは、特許請求の範囲の減縮、誤記の訂正又は明りょうでない記載の釈明を目的としたものであり、新規事項の追加に該当せず、実質的に特許請求の範囲を拡張又は変更するものではないから、特許法等の一部を改正する法律（平成６年法律第１１６号。以下、「平成６年改正法」という。）付則第６条第１項の規定によりなお従前の例によるとされる、特許法第１２０条の４第３項において準用する平成６年改正法による改正前の特許法（平成５年改正法）第１２６条第１項ただし書き、及び第２項の規定に適合するので、当該訂正を認める。
　
［３］特許異議の申立てについての判断
１．本件の請求項１に係る発明
　上記［２］で示したように上記訂正が認められるから、本件の請求項１に係る発明は、上記訂正に係る訂正明細書の特許請求の範囲の請求項１に記載された以下に示す事項に特定されるとおりのものである。
　
　対象画像を光電変換して入力された画像信号を、与えられたプログラムに従って入力した画像信号とは異なる別の信号形態に変換する変換手段、前記変換手段に前記入力画像信号を圧縮処理した変換を行なわせる第１のプログラムを与える第１の手段、及び、前記変換手段に前記入力画像信号から記録媒体への記憶形式に適合する所定の信号形式への変換を行なわせる第２のプログラムを与える第２の手段を有し、前記変換手段は前記第１のプログラムが与えられた場合は前記入力画像信号を圧縮処理し、前記第２のプログラムが与えられた場合は前記入力画像信号から記憶媒体への記憶形式に適合する所定の信号形式への変換を行うことを特徴とする画像処理装置。
　
２．引用刊行物に記載された発明
（ａ）当審が平成１２年７月２７日付けで通知した取消理由で引用した刊行物１（特開昭５９−７００９１号公報、申立人が提出した甲第１号証）には、以下の事項が記載されている。
　「第１図は、従来試作された電子スチルカメラの一例を示すブロック図である、図中（１）はＣＣＤ固体撮像素子、（２）はその駆動回路、（３）はＣＣＤの出力信号を増幅するブリアンプであり、（４）はγ補正等を行なうプロセス増幅器である。但し、ＣＣＤ固体撮像素子（１）が単板カラー撮像素子の場合は、プロセス増幅器（４）には、単板カラー撮像素子の各カラーフィルタに対応する出力を分離する色分離回路及びＮＴＳＣカラーエンコーダ回路が含まれる。このプロセス増幅器（４）の出力映像信号は、通常８ｂｉｔのＡ／Ｄ変換器（５）によりディジタル化され、バッファーメモリ（６）にテレビジョンの映像信号の１フィールド又は１フレーム分が記録される。この場合、ＣＣＤ固体撮像素子（１）を白黒撮像素子とし、その水平方向画素数を仮に５１２画素とすれば、バッファーメモリ（６）の記憶容量は、フィールドメモリの場合は１Ｍｂｉｔを、フレームメモリの場合は２Ｍｂｉｔを用意する必要がある。バッファーメモリ（６）に接続されたＤ／Ａ変換器（７）は、記憶した画像をディスプレイするために用いられる。バッファーメモリ（６）に対しては、更にメモリインターフェイス（８）を介してマイクロコンピュータのＣＰＵ（９）が接続され、このＣＰＵ（９）は周辺装置としてプログラム等を格納するＲＡＭ−ＲＯＭメモリ（１０）と、画素データの記憶・保存に用いられる磁気バブル素子（１１）とに、マイコンバスを介して接続されている。」（１頁左下欄１４行ないし２頁左上欄下から２行目）
　「・・・バッファーメモリ（６）の内容を磁気バブル（１１）に移す際してＣＰＵ（９）を介する点にある。ＣＰＵ（９）を介してデータの処理、例えば符号化による圧縮を行なう・・・」（２頁右上欄１６行ないし１９行）
　
（ｂ）同取消理由で引用した刊行物３（特開昭６２−１８４５２９号公報、申立人が提出した甲第３号証）には、以下の事項が記載されている。
　「本発明のデータ圧縮伸張装置は、圧縮伸張プログラムを格納するメモリであるＲＡＭと、ホストコンピュータより圧縮伸張プログラムをＲＡＭへロードする手段を有している。したがって、１台の装置で、多種多様なデータを圧縮伸張処理できる。
　したがって、１台の装置で多種多様なデータを圧縮できる。」（１頁右下欄７行ないし１２行）
　
（ｃ）同取消理由で引用した刊行物４（特開平１−２６９３７９号公報、申立人が提出した甲第４号証）には、以下の事項が記載されている。
　「本発明は、ディジタル式電子スチル・カメラのおける画像信号処理回路に関する。」（１頁左下欄１４行ないし１５行）
　「そこで本発明は、高圧縮率が得られると共に、原信号に戻すことなく、所望の映像信号で形成できる画像信号処理回路を提示することを目的とする。」（１頁右下欄９行ないし１２行）
　「上記式（１）ないし（６）の演算は勿論、マイクロコンピュータのプログラム動作によっても実現できる。」（４頁左下欄１４行ないし１５行）
　
（ｄ）同取消理由で引用した刊行物６（特開昭６１−１９８４９５号公報）には、以下の事項が記載されている。（なお、刊行物５は誤記であった。この点について指定期間内に代理人から電話の問い合わせがあったので、「刊行物５は刊行物６と同様なものなので、刊行物５は無視してください」と回答した。）
　「本発明はフロッピィディスク装置をアクセスするためのフロッピィディスクコマンドでアクセスするバブルメモリ装置に関する。」（１頁左下欄下から３行目ないし最下行）
　
３．対比
　本件の請求項１に係る発明（以下、「本件発明」という。）と刊行物１に記載された発明（以下、「刊行物１発明」という。）を対比すると、
　両者は、
「対象画像を光電変換して入力された画像信号を、与えられたプログラムに従って入力した画像信号とは異なる別の信号形態に変換する変換手段、及び前記変換手段に前記入力画像信号を圧縮処理した変換を行なわせる第１のプログラムを与える第１の手段を有する画像処理装置。」
である点で一致し、以下の点で相違している。
　
相違点
　本件発明においては、
「前記変換手段に前記入力画像信号から記録媒体への記憶形式に適合する所定の信号形式への変換を行なわせる第２のプログラムを与える第２の手段を有し、前記変換手段は前記第１のプログラムが与えられた場合は前記入力画像信号を圧縮処理し、前記第２のプログラムが与えられた場合は前記入力画像信号から記憶媒体への記憶形式に適合する所定の信号形式への変換を行う」のに対して、
　刊行物１発明においては、
　バッファーメモリ（６）の内容を磁気バブル（１１）に移すに際してＣＰＵ（９）を介し、また、ＣＰＵ（９）を介して符号化による圧縮を行う点。
　
４．判断
　刊行物６には、フロッピィディスク装置をアクセスするためのフロッピィディスクコマンドでアクセスするバブルメモリ装置が記載されており、刊行物１の磁気バブル（１１）としてこのようなバブルメモリ装置を使用すれば、ＣＰＵ（９）を介してバッファーメモリ（６）の内容を磁気バブル（１１）に移す場合に、本件発明の実施例の磁気ディスク（フロッピィディスク）に記憶するときと同様に記憶させることになる。そして、刊行物１の磁気バブル（１１）が刊行物６のようなものであってもなくても、申立人が特許異議申立書７頁４行ないし７行で述べているように、何らかの記録媒体への記憶形式に適合する所定の信号形式への変換をプログラムによって行なわせるのは当然のことである（本件発明の「入力画像信号から記録媒体への記憶形式に適合する所定の信号形式への変換を行なわせる」を本件特許公報３頁５欄１２行ないし３５行に記載されているように限定して解釈することはできず、あらゆる記憶形式に適合する所定の信号形式への変換を含むと解釈せざるを得ない。仮に、請求項を限定して解釈したとしても、刊行物４には所望の映像信号を形成できる画像信号回路による演算をマイクロコンピュータのプログラム動作によっても実現できる旨記載されているから、そのようなプログラムで変換を行わせることは当業者にとって格別困難ではない。）。したがって、刊行物１発明が、変換手段に記録媒体への記憶形式に適合する所定の信号形式への変換を行なわせるプログラムを与える手段を有していることは明らかであり、仮にそうでないとしても、そのようにすることは当業者にとって格別困難なことではない。
　したがって、刊行物１発明において、「プログラム等を格納するＲＡＭ−ＲＯＭメモリ（１０）」には、「入力画像信号を圧縮処理した変換を行なわせる第１のプログラム」及び「記録媒体への記憶形式に適合する所定の信号形式への変換を行なわせるプログラム」が記憶されていることは明らかであり、仮にそうでないとしても、そのようにすることは当業者にとって格別困難なことではない。
　特許権者は平成１２年１０月１０日付け特許異議意見書において、「刊行物１には、単に光電変換された画像を圧縮し、圧縮された信号を磁気バブルメモリに記憶することが記載されているだけで、光電変換した画像を圧縮する処理とは別に、光電変換した画像を記録媒体の記録形式に適合する信号形式に変換することは何ら記載されていません。刊行物１に記載の発明では、記録形式に適合した形式変換することも明確ではありません。即ち、刊行物１に記載の発明では、光電変換された画像に対して、圧縮処理した変換と、光電変換された画像に対して記録形式に適合した形態への変換とを独立に行わせているのではなく、光電変換された画像を圧縮処理する変換と、圧縮処理された信号の記録形式に適合した形式への変換とが順番に行われることを示唆しているに過ぎません。」と主張している。
　特許権者が主張するように、刊行物１発明においては、光電変換された画像を圧縮処理する変換と、圧縮処理された信号の記録形式に適合した形式への変換とが順番に行われる可能性もあると考えられる。これに対して、本件の請求項の記載は曖昧であり、本件発明が第１のプログラムの処理と第２のプログラムの処理を順番に行うものを含むように解釈できるかもしれないが、本件明細書に記載された実施例は、ＩＣカード９０に書き込むときには圧縮処理だけを行い、記録媒体（ＩＣカード９０）への記録形式に適合する所定の信号形式への変換は行わず（本件特許公報２頁４欄１１行ないし１４行参照）、磁気ディスク４８に記憶するときには、記録媒体への記録形式に適合する所定の信号形式への変換だけを行い、圧縮処理は行わない（本件特許公報３頁５欄１２行ないし３５行参照）ものであり、また、請求項には、第１のプログラムが「前記入力画像信号を圧縮処理し」、第２のプログラムが「前記入力画像信号から・・・変換を行う」旨記載されていることからすれば、本件発明は、「前記入力画像信号を圧縮処理」を行うか、「前記入力画像信号から・・変換を行う」かのどちらかを行い、第１のプログラムと第２のプログラムを順番に行うものは含まないものと解釈することもできる。
　本件発明が上記のいずれに解釈されるとしても、申立人が特許異議申立書７頁２０行ないし２５行で述べているように、一般に、同じ処理装置（コンピュータ）に対してプログラムを選択的にロードすることによって、処理回路を複数備えることなく、圧縮処理などの種々のデータ処理を行うことは当業者における常識であり（申立人は例として刊行物３を挙げている。）、また、刊行物１発明において圧縮を行わずにバッファーメモリ（６）の内容を磁気バブル（１１）に移すことをＣＰＵ（９）を介して行うようにすることは当業者にとって格別困難なことではないから、刊行物１発明において、「前記変換手段に前記入力画像信号から記録媒体への記憶形式に適合する所定の信号形式への変換を行なわせる第２のプログラムを与える第２の手段を有し、前記変換手段は前記第１のプログラムが与えられた場合は前記入力画像信号を圧縮処理し、前記第２のプログラムが与えられた場合は前記入力画像信号から記憶媒体への記憶形式に適合する所定の信号形式への変換を行う」ようにすることは当業者が容易に想到できたことである。
　
５．むすび
　以上のとおり、本件発明は、刊行物１、３、４及び６に基づいて当業者が容易に発明をすることができたものであるから、本件発明の特許は特許法第２９条第２項の規定に違反してされたものである。
　したがって、本件の請求項１に係る発明の特許は、特許法第１１３条第２号に該当し、取り消されるべきものである。
　よって結論のとおり決定する。
【異議決定日】
平成１３年５月２５日（２００１．５．２５）
【訂正の要旨】
訂正の要旨
ａ）訂正事項ａ
　特許請求の範囲に
「対象画像を光電変換して入力された画像信号を、与えられたプログラムに従って入力した画像信号とは異なる別の信号形態に変換する変換手段、前記変換手段に前記入力画像信号を圧縮処理した変換を行なわせる第１のプログラムを与える第１の手段、及び、前記変換手段に前記入力画像信号から記録媒体への記憶形式に適合する所定の信号形式への変換を行なわせる第２のプログラムを与える第２の手段を有することを特徴とする画像処理装置。」
とあるのを、特許請求の範囲の減縮を目的として、
「対象画像を光電変換して入力された画像信号を、与えられたプログラムに従って入力した画像信号とは異なる別の信号形態に変換する変換手段、前記変換手段に前記入力画像信号を圧縮処理した変換を行なわせる第１のプログラムを与える第１の手段、及び、前記変換手段に前記入力画像信号から記録媒体への記憶形式に適合する所定の信号形式への変換を行なわせる第２のプログラムを与える第２の手段を有
し、前記変換手段は前記第１のプログラムが与えられた場合は前記入力画像信号を圧縮処理し、前記第２のプログラムが与えられた場合は前記入力画像信号から記録媒体への記憶形式に適合する所定の信号形式への変換を行う
と訂正する。
ｂ）訂正事項ｂ
　明細書の第４頁第７行乃至第１９行に、
「本発明に係る画像処理装置は、対象画像を光電変換して入力された画像信号を、与えられたプログラムに従って入力した画像信号とは異なる別の信号形態に変換する変換手段、前記変換手段に前記入力画像信号を圧縮処理した変換を行なわせる第１のプログラムを与える第１の手段、及び、前記変換手段に前記入力画像信号から記録媒体への記憶形式に適合する所定の信号形式への変換を行なわせる第２のプログラムを与える第２の手段を有することを特徴とする。」
とあるのを、特許請求の範囲の記載と発明の詳細な説明の記載との整合を図るため、明りょうでない記載の釈明を目的として、
「本発明に係る画像処理装置は、対象画像を光電変換して入力された画像信号を、与えられたプログラムに従って入力した画像信号とは異なる別の信号形態に変換する変換手段、前記変換手段に前記入力画像信号を圧縮処理した変換を行なわせる第１のプログラムを与える第１の手段、及び、前記変換手段に前記入力画像信号から記録媒体への記憶形式に適合する所定の信号形式への変換を行なわせる第２のプログラムを与える第２の手段を有
し、前記変換手段は前記第１のプログラムが与えられた場合は前記入力画像信号を圧縮処理し、前記第２のプログラムが与えられた場合は前記入力画像信号から記録媒体への記憶形式に適合する所定の信号形式への変換を行う
と訂正する。
ｃ）訂正事項ｃ
　明細書の第８頁第３行目に「化色２６」とあるのを、誤記の訂正を目的として、「回路２６」と訂正する。
ｄ）訂正事項ｄ
　明細書の第８頁第２０行目に「出力共」とあるのを、明りょうでない記載の釈明を目的として「出力先」と訂正する。
（５４）【発明の名称】
画像処理装置
（５７）【特許請求の範囲】
　対象画像を光電変換して入力された画像信号を、与えられたプログラムに従って入力した画像信号とは異なる別の信号形態に変換する変換手段、前記変換手段に前記入力画像信号を圧縮処理した変換を行なわせる第１のプログラムを与える第１の手段、及び、前記変換手段に前記入力画像信号から記録媒体への記憶形式に適合する所定の信号形式への変換を行なわせる第２のプログラムを与える第２の手段を有
し、前記変換手段は前記第１のプログラムが与えられた場合は前記入力画像信号を圧縮処理し、前記第２のプログラムが与えられた場合は前記入力画像信号から記録媒体への記憶形式に適合する所定の信号形式への変換を行う
【発明の詳細な説明】
［産業上の利用分野］
　本発明は画像処理装置に関する。
［従来の技術］
　従来の光学式銀塩カメラに代わって、撮像素子で被写体像を電気信号に変換して記録媒体に記録する電子スチル・カメラが開発され、また再生機能を具備する電子スチル・カメラも開発されている。従来の電子スチル・カメラでは記録媒体である例えば磁気ディスクの記録形式に合わせて信号の変換を行なっていた。即ち、撮像素子の画像信号を読み出し、例えば色差信号は線順次化し、輝度信号及び線順次色差信号のそれぞれをＦＭ変調して周波数多重化し、磁気ディスクに磁気記録していた。
　また、再生回路では、磁気ヘッドの出力をフィルタにより輝度成分と線順次色差成分とに分離し、それぞれにＦＭ復調して輝度信号及び線順次色差信号に戻し線順次色差信号をライン・センス回路、ライン遅延回路及びスイッチからなる線同時化回路で同時化する。このようにして得られた輝度信号及び線同時色差信号をＮＴＳＣエンコーダでＮＴＳＣ映像信号に変換してＮＴＳＣ映像モニター装置に供給する。これにより、再生画像が映し出される。
［発明が解決しようとする課題］
　従来例では、記録媒体への記録のための記録回路や、再生のための回路を別に設けていた。特に再生の回路には、線同時化回路やフィールド再生時のスキュー補償のために１Ｈ（水平同期期間）の遅延線を使用するので、回路が複雑化するだけでなく、その分、消費電力が多くなる。
　また、従来は、上述したカメラの例に限らず、記録のための処理或いは再生圧縮のための処理それぞれ専用の回路を用いているため、回路構成が複雑になるという問題があった。
　そこで本発明はこのような欠点を解消した画像処理装置を提示することを目的とする。
［課題を解決するための手段］
　本発明に係る画像処理装置は、対象画像を光電変換して入力された画像信号を与えられたプログラムに従って入力した画像信号とは異なる別の信号形態に変換する変換手段、前記変換手段に前記入力画像信号を圧縮処理した変換を行なわせる第１のプログラムを与える第１の手段、及び、前記変換手段に前記入力画像信号から記録媒体への記憶形式に適合する所定の信号形式への変換を行なわせる第２のプログラムを与える第２の手段を有
し、前記交換手段は前記第１のプログラムが与えられた場合は前記入力画像信号を圧縮処理し、前記第２のプログラムが与えられた場合は前記入力画像信号から記録媒体への記憶形式に適合する所定の信号形式への変換を行う
［実施例］
　以下、図面を参照して本発明の実施例を説明する。
　第１図は本発明の一実施例の構成ブロック図を示す。１０は撮影レンズ、１２は絞り、１４はＣＣＤ撮像素子からなる撮像回路、１６は撮像回路１４の出力信号又は外部又は再生画像信号を選択するスイッチ、１８，２０はＡ／Ｄ変換器、２２はフレーム・メモリ、２４はフレーム・メモリ２２を制御するメモリ制御回路、２６はフレーム・メモリ２２の記憶データを出力形式に変換する高速演算処理回路、２８，２９，３０はＤ／Ａ変換器、３２，３３，３４はＤ／Ａ変換器２８，２９，３０による不要帯域成分を除去するローパスフィルタ（ＬＰＦ）、３６は輝度信号に同期信号を加算する加算器、３８，３９はＦＭ変調回路、４０は加算器、４２は記録アンプ、４４は記録／再生の切換えスイッチ、４６は磁気ヘッド、４８は磁気ディスク、４９は磁気ヘッド４６を磁気ディスク４８の指定トラック位置に搬送するヘッド搬送装置、５０は磁気ディスク４８の回転位相を検出するためのＰＧコイル、５２は磁気ディスク４８を回転するモータ、５４はモータ５２のサーボ回路である。５６はＮＴＳＣエンコーダ、５７は映像出力端子、５８は映像モニタ装置である。
　６０は再生アンプ、６２は再生信号から輝度成分を抽出するＢＰＦ、６３は再生信号から色差成分を抽出するＬＰＦ、６４，６５はＦＭ復調回路である。６６は外部映像入力端子、６８は外部映像信号を輝度信号と２つの色差信号に分離するＮＴＳＣデコーダ、７０は色差信号Ｒ−Ｙ，Ｂ−Ｙを線順次化すると共に、各色差信号Ｒ−Ｙ，Ｂ−Ｙの直流レベルを、スチル・ビデオ・フォーマットに規定されるレベルに変換する色差レベル変換回路、７２は、外部映像信号又は再生映像信号を選択するスイッチ、７４はスイッチ７２で選択された輝度信号から同期信号を分離する同期分離回路である。
　７６は図示システムの全体を制御するシステム制御回路、７８は各部に基準信号を供給する基準信号発生回路（ＳＳＧ）である。８０はシステム制御回路７６に各種の動作指示を入力するスイッチ・ボックスであり、シャッタ・スイッチ８１、レリーズ・スイッチ８２、記録／再生スイッチ８３、入力ビデオ・スイッチ８４、トラック送りスイッチ８５、トラック戻しスイッチ８６が接続している。８８は電池、９０は画像信号をディジタル記録するＩＣカードであり、高速演算回路２６により画像圧縮されたデータが書き込まれる。９２はＩＣカード９０との入出力端子である。
　１００は高速演算回路２６においてＩＣカード９０ヘデータを出力するに際して行なわれる高圧縮率の圧縮（例えば、直交変換を用いた圧縮アルゴリズム）を行なうためのアルゴリズムが格納されているＲＯＭであり、当該ＲＯＭ１００の内部には、撮像素子１４からの出力信号を処理するためのアルゴリズムと、磁気ディスク４８からの出力信号を処理するためのアルゴリズムが格納されている。ＲＯＭ１１０には、ＮＴＳＣエンコーダ５６へデータを出力するに際して行なわれる第７図に示す画像データからＮＴＳＣ規格に合わせるための色差線順次信号を同時化した画像データを出力するためのアルゴリズムが格納されている。
　また高速演算処理
回路
　本実施例においてはＤＳＰ１１０により種々の処理を行なうに際してＲＯＭ１００，１０１からのプログラムを読み出して出力
先
　以下、第１図の記録（撮影）時の動作を説明する。レリーズ・ボタンを軽く押すと、レリーズ・スイッチ８２が先ず閉成し、更に押し下げると、シャッタ・スイッチ８１が閉成する。レリーズ・スイッチ８２の閉成がスイッチ・ボックス８０を介してシステム制御回路７６に転送され、システム制御回路７６は、撮像回路１４、Ａ／Ｄ変換器１８，２０、基準信号発生回路７８、フレーム・メモリ２２、メモリ制御回路２４、サーボ回路５４及びモータ５２に電源を供給開始する。基準信号発生回路７８は、ＰＧコイル５０からのＰＧ信号に応じて、磁気ディスク４８の回転の基準となる基準信号をサーボ回路５４に印加し、サーボ回路５４はこの基準信号とモータ５２からのＦＧ信号に従いモータ５２の回転を制御する。
　シャッタ・スイッチ８１の閉成に応じて、適正露出になるように絞り１２が制御され、撮像回路１４は、予め設定された時間、被写体光を電荷量に変換して蓄積する。この電荷は、基準信号発生回路７８からのクロックにより読み出される。撮像回路１４の回路構成及び光電変換部のフィルタ構成を第２図に示す。この構成は周知であるので、詳細な説明は省略する。撮像回路１４の出力はスイッチ１６を介してＡ／Ｄ変換器１８に印加され、ディジタル化されてフレーム・メモリ２２に順次格納される。磁気ディスク４８の回転が所定値に達して安定すると、サーボ回路５４はサーボ・ロック信号をシステム制御回路７６に印加する。システム制御回路７６はこれに応じて高速演算回路２６を起動し、フレーム・メモリ２２の記憶データを磁気ディスク４８への記録形態に変換させながら出力させる。即ち、第３図に示すように、撮像回路１４の光電変換部の色フィルタ配置のままにフレーム・メモリ２２に格納されている画素データを、第１フィールドでは、実線で示すように奇数ラインとその次のラインのデータを使い、第２フィールドでは破線で示すように偶数ラインとその次のラインのデータを使って、輝度データＹ及び色差データＲ−Ｙ，Ｂ−Ｙを形成する。例えば、第１フィールドの第１画素では、
　　　Ｙ００＝Ｋ１Ｇ（Ｐ０１）＋Ｋ２Ｒ（Ｐ００）＋Ｋ３Ｂ（Ｐ１０）
　　　（Ｒ−Ｙ）００＝Ｒ（Ｐ００）−Ｙ００
　　　（Ｂ−Ｙ）００＝Ｂ（Ｐ１０）−Ｙ００
であり、第２画素では、
　　　Ｙ００＝Ｋ１Ｇ（Ｐ０１）＋Ｋ２Ｒ（Ｐ００）＋Ｋ３Ｂ（Ｐ１０）
　　　（Ｒ−Ｙ）００＝Ｒ（Ｐ００）−Ｙ００
　　　（Ｂ−Ｙ）００＝Ｂ（Ｐ１０）−Ｙ００
となる。但し、Ｋ１＝０．５９、Ｋ２＝０．３、Ｋ３＝０．１１であり、Ｐｉｊはフレーム・メモリ２２のアドレス（第３図参照）である。
　高速演算回路２６で得られた輝度データはＤ／Ａ変換器２９に印加され、色差データＲ−Ｙ，Ｂ−Ｙは、１ライン毎に交互にＤ／Ａ変換器３０に印加される。Ｄ／Ａ変換器２９，３０の変換周波数は、磁気ディスク４８の記録帯域によって決められている。Ｄ／Ａ変換器２９，３０の出力はＬＰＦ３３，３４により不要帯域成分を除去され、輝度信号には加算器３６により同期信号が付加され、それぞれＦＭ変調回路３８，３９でＦＭ変調される。輝度信号及び色差信号の周波数アロケーションを第４図に示す。ＦＭ変調された輝度信号及び色差信号は、加算器４０により周波数多重され、記録アンプ４２で増幅されて磁気ヘッド４６に印加され、磁気ディスク４８に記録される。
　１枚の画像が記録されると、システム制御回路７６はヘッド・キャリア４９により磁気ヘッド４６を内周側に移動させ、次の撮影を待つ。この時点で、レリーズ・スイッチ８２が閉成状態であれば、モータ５２を回転状態に維持し、開放されていれば、モータ５２を停止させ、回路１４，１８，２０，２２，２６，２８，２９，３０，３８，３９への電力供給を断つ。
　次に、磁気ディスク４８の記録画像の再生動作を説明する。記録／再生スイッチ８３を再生側にすると、再生モードになり、スイッチ４４，７２は共にｂ接点側に接続する。磁気ヘッド４６の再生出力はスイッチ４４及び再生アンプ６０を介してＢＰＦ６２及びＬＰＦ６３に印加され、輝度信号の変調波と色差信号の変調波に分離される。そして、ＦＭ復調回路６４，６５によりベースバンドの輝度信号及び色差信号に復調され、スイッチ７２を介してＡ／Ｄ変換器１８，２０に印加され、ディジタル化されてフレーム・メモリ２２に格納される。同期分離回路７４は復調された輝度信号から水平垂直同期信号を分離し、それを基準信号発生回路７８及びシステム制御回路７６に供給する。
　システム制御回路７６は基準信号発生回路７８に命令を出してフレーム・メモリ２２のデータ取り込みタイミングを決定するタイミング信号を出力させ、メモリ制御回路２４は同期分離回路７４で分離された水平同期信号Ｈ及び垂直同期信号Ｖに同期した変換タイミング信号をＡ／Ｄ変換器１８，２０に供給する。メモリ制御回路２４はまた、基準信号発生回路７８からの制御信号の下で、書込みアドレスをフレーム・メモリ２２に印加する。なお、フレーム・メモリ２２に１枚分の画像データが取り込まれる間、Ｄ／Ａ変換器２８，２９，３０はミュートされる。
　Ａ／Ｄ変換器２０に入力する信号は、線順次色差信号であり、第５図に示すように、Ｒ−Ｙ成分とＢ−Ｙ成分とでは直流レベルが異なる。この信号がそのままＡ／Ｄ変換器２０でディジタル化されてフレーム・メモリ２２に格納される。Ｒ−Ｙ成分かＢ−Ｙ成分かは、その直流レベルにより判定でき、具体的には、高速演算回路２６により、フレーム・メモリ２２への書込み時、又はフレーム・メモリ２２から読み出す時に、判定される。
　撮影時には、フレーム・メモリ２２には撮像素子の画素データが第６図に示すように撮像素子からの出力順に格納されるが、磁気ディスク４６の再生時には、第７図に示すように、輝度信号及び線順次色差信号の信号形態で格納される。
　フレーム・メモリ２２への取り込みが終了すると、基準信号発生回路７８は高速演算回路２６に演算開始のタイミング信号を印加し、高速演算回路２６はフレーム・メモリ２２の輝度データをＤ／Ａ変換器２９に、線同時化した色差データＢ−ＹをＤ／Ａ変換器２８に、線同時化した色差データＲ−ＹをＤ／Ａ変換器３０に出力する。Ｄ／Ａ変換器２８，２９，３０は、高速演算回路２６からの変換クロックに従って、上記各データをアナログ信号に変換する。アナログ化された輝度信号及び色差信号はＬＰＦ３２，３３，３４により不要帯域成分を除去され、輝度信号には加算器３６により同期信号が加算され、ＮＴＳＣエンコーダ５６に供給されてＮＴＳＣビデオ信号に変換される。ＮＴＳＣエンコーダ５６の出力は出力端子５７からモニタ装置５８に供給される。
　外部映像信号を磁気ディスク４８に記録する場合の動作を説明する。この場合には、入力ビデオ・スイッチ８４に応じて、スイッチ４４，７２は共にａ接点側する。外部映像入力端子６６に入力する映像信号はＮＴＳＣデコーダ６８により、同期信号を含む輝度信号と、色差信号Ｒ−Ｙ，Ｂ−Ｙに変換される。色差信号Ｒ−Ｙ，Ｂ−Ｙは色差レベル変換回路７０により、磁気ディスク４８の記録時と同様に、所定の直流オフセットを付けて線順次化される。ＮＴＳＣデコーダ６８から出力される輝度信号及び色差レベル変換回路７０から出力される線順次色差信号は、スイッチ７２，１６を介してＡ／Ｄ変換器１８，２０に印加される。
　この状態で、レリーズ・ボタンが押されると、レリーズ・スイッチ８２の閉成に応じて、Ａ／Ｄ変換器１８，２０、フレーム・メモリ２２、メモリ制御回路２４、モータ５２及びサーボ回路５４に電源が供給され、磁気ディスク４８を回転させる。シャッタ・スイッチ８１の閉成に応じて、メモリ制御回路２４はＡ／Ｄ変換器１８，２０に変換クロックを印加し、フレーム・メモリ２２に書込み信号及び書込みアドレス信号を印加する。これにより、フレーム・メモリ２２には第７図に示すように信号が格納される。
　磁気ディスク４８の回転が安定すると、サーボ回路５４がサーボ・ロック信号をシステム制御回路７６に印加し、これに応じて高速演算回路２６を動作させ、輝度データをＤ／Ａ変換器２９に、線順次色差データをＤ／Ａ変換器３０に供給させる。以下、撮影記録時と同様にして、磁気ディスク４８に記録される。
　記録媒体として磁気ディスクを例に説明したが、光磁気ディスクやＩＣカード、磁気テープなどを利用できることはいうまでもない。
　本実施例では、画像メモリを設けたことにより、再生時に記録媒体を常時駆動する必要が無くなり、消費電力を節減できる。また、記録媒体の記録信号の再生のために、ライン・センス回路が不要になり、製造コストを低減できる。
［発明の効果］
　以上の説明から容易に理解できるように、本発明によれば、変換手段に与えるプログラムを変更するだけで、対象画像を光電変換して得られた入力画像信号を圧縮処理したり、記録媒体への記録形式に適合する信号形式に変換できるので、圧縮処理及び記録のための信号処理を簡単なものとすることができる。
【図面の簡単な説明】
　第１図は本発明の一実施例の構成ブロック図、第２図は撮像素子の回路構成及び色フィルタ配置を示す図、第３図は撮影記録時のフレーム・メモリ２２のデータ読出し及び処理順序の説明図、第４図は磁気ディスク４８の記録信号の周波数アロケーション、第５図は線順次色差信号の直流レベル説明図、第６図は撮像回路１４の出力データのフレーム・メモリ２２への格納位置の説明図、第７図は磁気ディスク４８の再生信号のフレーム・メモリ２２への格納位置の説明図、第８図は高速演算回路２６の内部構成ブロック図である。
１０：撮影レンズ　１２：絞り　１４：撮像回路　２２：フレーム・メモリ　２４：メモリ制御回路　２６：高速演算回路　４６：磁気ヘッド　４８：磁気ディスク　４９：ヘッド搬送装置　５０：ＰＧコイル　５２：モータ　６６：外部映像入力端子　７６：システム制御回路　７８：基準信号発生回路　８１：シャッタ・スイッチ　８２：レリーズ・スイッチ　８３：記録／再生スイッチ　８４：入力ビデオ・スイッチ　８５：トラック送りスイッチ　８６：トラック戻しスイッチ　１００：データ圧縮アルゴリズムＲＯＭ　１０１：データ変換アルゴリズムＲＯＭ